(57)【要約】【課題】  送信側使用者の視線と受信側使用者の視線とが一致する携帯端末を提供し、簡便に自然な視線のＴＶ電話通話環境を得る。【解決手段】  筺体２１と、筺体２１の表面に設けられた表示部２５と、筺体２１に設けられ表示部２５を視認する使用者を撮像可能な撮像手段３５とを備えた携帯端末１００であって、表示部２５の表示面および撮像手段３５の撮像素子３９が重なり合うことにより、表示部２５の表示方向と撮像手段３５の撮像方向とが同一線に沿った同一方向を向くように、表示部２５と撮像手段３５とを相対的に移動可能に設けた。【選択図】図１
2006203768.tif 000002
【特許請求の範囲】
【請求項１】
筺体と、前記筺体の表面に設けられた表示部と、前記筺体に設けられ前記表示部を視認する使用者を撮像可能な撮像手段とを備えた携帯端末であって、
前記表示部の表示面および前記撮像手段の撮像素子が重なり合うことにより、
前記表示部の表示方向と前記撮像手段の撮像方向とが同一線に沿った同一方向を向くように、
前記表示部と前記撮像手段とが相対的に移動可能であることを特徴とする携帯端末。
【請求項２】
前記筺体に設けられた腕部を有するとともに、前記撮像素子が前記腕部に支持され、
前記撮像素子が前記表示部に干渉しない退避位置から前記撮像素子が前記表示部に重なる撮像位置まで前記腕部が往復移動可能であることを特徴とする請求項１記載の携帯端末。
【請求項３】
前記筺体に設けられた腕部を有するとともに、前記撮像素子が前記腕部に支持され、
前記撮像素子が前記表示部に干渉しない退避位置から前記撮像素子が前記表示部に重なる撮像位置まで前記腕部が回動可能であることを特徴とする請求項１記載の携帯端末。
【請求項４】
筺体と、前記筺体の表面に設けられた表示部と、前記筺体に設けられ前記表示部を視認する使用者を撮像可能な撮像手段とを備えた携帯端末であって、
前記表示部がミラー反転表示可能であり、
前記表示部の表示面に対して鏡面を所定の交差角度で対面配置可能なハーフミラーを有し、
前記撮像手段が前記ハーフミラーを挟んで前記表示部と反対側に配設され、
前記表示部の前記鏡面に映った映像の表示方向と前記撮像手段の撮像方向とが同一線に沿った同一方向を向くように、
前記撮像手段が前記筺体に可動自在に設けられたことを特徴とする携帯端末。
【発明の詳細な説明】
【技術分野】
【０００１】
本発明は、通話者を撮像可能な撮像手段を備えた携帯端末に関し、特に表示部に表示される通話者の不自然な視線を改善する改良技術に関する。
【背景技術】
【０００２】
例えば、ＴＶ電話、ＴＶ会議、インターネット等で使用される対面通信手段、あるいはＴＶ電話機能付携帯端末では、表示部とカメラ装置との位置が異なるため、通話相手に送信する通話者映像の視線が、通話相手の視線と一致せず、不自然な映像となっていた。
通話相手を見つめる視線にするためには通話者がカメラ装置を正面から見る必要があるが、通話者は表示部を見ながら通話をするので矛盾が生じる。
【０００３】
このような視線が不自然となる映像を改善するものに、例えば下記特許文献１に開示されるデジタルカメラ付液晶表示装置がある。
このデジタルカメラ付液晶表示装置は、液晶モジュールと、液晶モジュールに内蔵されたデジタルカメラおよびストロボ光源とからなり、それらを一体構成としている。
【０００４】
また、下記非特許文献１に開示される複数の顔画像の組合せによる任意方向・任意表情の画像の生成方法では、複数台のカメラ装置によって撮像することによって、あらかじめ用意された複数枚の顔画像を適切に組み合わせることで、任意方向から見た任意表情の顔画像を、少数の基底ベクトルの線形結合によって生成可能としている。
【０００５】
【特許文献１】特開2002-335432号公報
【非特許文献１】向川康博、「複数の顔画像の組合せによる任意方向・任意表情の画像の生成」、電気情報通信学会論文誌、1997年６月、D-II Vol．J80-D-II  No.5、pp.1555-1562
【発明の開示】
【発明が解決しようとする課題】
【０００６】
しかしながら、特許文献１に開示されるデジタルカメラ付液晶表示装置は、液晶モジュール内にカメラ装置を配置しているので、視線の不一致は解消できるものの、常にカメラ装置が液晶モジュール上に存在するため、映像に欠損が生じ、映像品質を低下させる問題があった。
【０００７】
また、非特許文献１に開示される複数の顔画像の組合せによる任意方向・任意表情の画像の生成方法は、複数台のカメラ装置が必要になるとともに、これらによって得た顔画像情報を演算処理することで任意方向から見た任意表情の顔画像を生成するため、装置コストが高く、煩雑な演算処理制御が必要となった。
【０００８】
本発明は上記状況に鑑みてなされたもので、送信側使用者の視線と受信側使用者の視線とが一致する携帯端末を提供し、もって、一つのカメラ装置で簡便に自然な視線のＴＶ電話通話環境を得ることを目的とする。
【課題を解決するための手段】
【０００９】
上記目的を達成するための本発明に係る携帯端末は、筺体と、前記筺体の表面に設けられた表示部と、前記筺体に設けられ前記表示部を視認する使用者を撮像可能な撮像手段とを備えた携帯端末であって、前記表示部の表示面および前記撮像手段の撮像素子が重なり合うことにより、前記表示部の表示方向と前記撮像手段の撮像方向とが同一線に沿った同一方向を向くように、前記表示部と前記撮像手段とが相対的に移動可能であることを特徴とする。
【００１０】
この携帯端末では、ＴＶ電話としての使用時、撮像手段が移動されて表示部と重ねられ、使用者が表示部に映し出された映像を目視すると、表示部の表示方向と撮像手段の撮像方向とが同一線に沿った同一方向となる。
これにより、送信側使用者の視線と受信側使用者の視線とが一致し、使用者の視線が不自然とならない。
【００１１】
また、本発明に係る携帯端末は、前記筺体に設けられた腕部を有するとともに、前記撮像素子が前記腕部に支持され、前記撮像素子が前記表示部に干渉しない退避位置から前記撮像素子が前記表示部に重なる撮像位置まで前記腕部が往復移動可能であることを特徴とする。
【００１２】
この携帯端末では、ＴＶ電話としての使用時、撮像手段が直線的に往動されると、撮像手段が表示部上に重なり、使用者が表示部に映し出された映像を目視すると、表示部の表示方向と撮像手段の撮像方向とが同一線に沿った同一方向となる。
また、ＴＶ電話としての非使用時、撮像手段が直線的に復動されると、撮像手段が表示部上から表示部と干渉しない退避位置へと移動されて、撮像手段が重なることによる映像品質の部分的な低下がなくなる。
さらに、撮像手段の移動が直線的な往復動作によってなされることから、力の印加方向が一方向となって、良好な操作性が得られる。
【００１３】
さらに、本発明に係る携帯端末は、前記筺体に設けられた腕部を有するとともに、前記撮像素子が前記腕部に支持され、前記撮像素子が前記表示部に干渉しない退避位置から前記撮像素子が前記表示部に重なる撮像位置まで前記腕部が回動可能であることを特徴とする。
【００１４】
この携帯端末では、ＴＶ電話としての使用時、撮像手段が順方向に回転されると、撮像手段が表示部上に重なり、使用者が表示部に映し出された映像を目視すると、表示部の表示方向と撮像手段の撮像方向とが同一線に沿った同一方向となる。
また、ＴＶ電話としての非使用時、撮像手段が逆方向に回転されると、撮像手段が表示部上から表示部と干渉しない退避位置へと移動されて、撮像手段が重なることによる映像品質の部分的な低下がなくなる。
そして、撮像手段の移動が順方向の回転と逆方向の回転による回動動作によってなされることから、スライド溝を設ける必要がなくなり、筺体の防塵性等が高められる。
【００１５】
さらに、本発明に係る携帯端末は、筺体と、前記筺体の表面に設けられた表示部と、前記筺体に設けられ前記表示部を視認する使用者を撮像可能な撮像手段とを備えた携帯端末であって、前記表示部がミラー反転表示可能であり、前記表示部の表示面に対して鏡面を所定の交差角度で対面配置可能なハーフミラーを有し、前記撮像手段が前記ハーフミラーを挟んで前記表示部と反対側に配設され、前記表示部の前記鏡面に映った映像の表示方向と前記撮像手段の撮像方向とが同一線に沿った同一方向を向くように、前記撮像手段が前記筺体に可動自在に設けられたことを特徴とする。
【００１６】
この携帯端末では、ＴＶ電話としての使用時、鏡面を表示部の表示面に対して所定の交差角度で対面させるようにハーフミラーが配置されると、表示部の映像が鏡面に映されて使用者に視認される。
この際、撮像手段がハーフミラーを挟んで表示部と反対側に配設されているので、使用者がハーフミラーの鏡面に映し出された映像を目視すると、表示部の表示方向と撮像手段の撮像方向とが同一線に沿った同一方向となる。つまり、使用者の視線がハーフミラー越しに撮像手段に捉えられることになる。
これにより、送信側使用者の視線と受信側使用者の視線とが一致し、使用者の視線が不自然とならない。
【発明の効果】
【００１７】
本発明に係る携帯端末によれば、表示部の表示面および撮像手段の撮像素子が重なり合うことにより、表示部の表示方向と撮像手段の撮像方向とが同一線に沿った同一方向を向くように、表示部と撮像手段とを相対的に移動可能としたので、ＴＶ電話としての使用時、撮像手段が移動されて表示部と重ねられ、使用者が表示部に映し出された映像を目視すると、表示部の表示方向と撮像手段の撮像方向とが同一線に沿った同一方向となり、送信側使用者の視線と受信側使用者の視線とが一致し、使用者の視線が不自然とならない。この結果、カメラ装置一体の表示装置や、複数台のカメラ装置を用いずに、一つのカメラ装置で簡便に自然な視線のＴＶ電話通話環境を得ることができる。
【発明を実施するための最良の形態】
【００１８】
以下、本発明に係る携帯端末の好適な実施形態を図面を参照して説明する。
図１は本発明に係る携帯端末の腕部が往復動可能となった第１実施形態を表す外観斜視図、図２は図１に示した腕部の拡大斜視図、図３は撮像手段が表示部と重ねられた携帯端末の外観斜視図である。
第１実施形態では、発明に係る携帯端末が携帯電話機である場合を例に説明する。なお、本発明に係る携帯端末は、この他、ＰＤＡ、無線機、モバイル型のＰＣ、ノート型ＰＣ等であってもよい。
【００１９】
携帯端末１００は、図１に示すように、直方体の単一筺体２１の一つの表面２３の上部２３ａに、表示部である液晶表示装置２５が設けられるとともに、受話部２７が設けられる。また、同一表面２３の下部２３ｂにはスイッチ操作を行う操作部２９が設けられるとともに送話部３１が設けられる。この他、筺体２１にはアンテナ３３、図示しないバイブレータ、各種回路部を備えた回路基板等が設けられている。
【００２０】
第１実施形態による携帯端末１００は、筺体２１に、液晶表示装置２５を視認する使用者を撮像可能な撮像手段３５を備える。
撮像手段３５は、図２に示すように、透明な腕部３７の先端に撮像素子３９が設けられている。腕部３７は、Ｌ字状に曲げられた例えば透明樹脂板からなり、その基端が筺体２１のスライド溝４１にスライド自在に支持される。スライド溝４１は、液晶表示装置２５の側部に沿って上下方向に直線状に形成される。
【００２１】
腕部３７には先端から基端に亘って透明電気配線４３が設けられている。透明電気配線４３は、一般的には微粒子化により透明になされた金属あるいは導電性を有する金属酸化物で構成される。
この金属としては、金、銀、パラジウム、亜鉛、アルミニウム等を用いることができ、金属化合物としては、酸化イリジウム、酸化亜鉛、酸化アルミニウム等を用いることができる。すなわち、撮像素子３９の端子は、透明電気配線４３に接続されて筺体２１内の腕部３７基端まで導出される。腕部３７基端の透明電気配線４３には余長を有する図示しないリード線の一端が接続され、このリード線の他端は回路基板の撮像回路へと接続される。
【００２２】
撮像手段３５は、撮像素子３９が腕部３７に支持され、撮像素子３９が液晶表示装置２５に干渉しない退避位置（図１に示す位置）から、撮像素子３９が液晶表示装置２５に重なる撮像位置（図３に示す位置）まで、腕部３７の往復移動によって任意に配置可能となっている。
つまり、撮像手段３５は、液晶表示装置２５の表示面２５ａおよび撮像素子３９が重なり合うことにより、表示面２５ａの表示方向と撮像素子３９の撮像方向とが同一線４９に沿った同一方向５１を向くように、液晶表示装置２５に対して相対移動可能となっている。
【００２３】
この携帯端末１００では、ＴＶ電話としての使用時、撮像手段３５が直線的に往動されると、撮像手段３５が液晶表示装置２５上に重なり、使用者が液晶表示装置２５に映し出された映像を目視すると、液晶表示装置２５の表示方向と撮像手段３５の撮像方向とが同一線４９に沿った同一方向５１となる。
また、ＴＶ電話としての非使用時、撮像手段３５が直線的に復動されると、撮像手段３５が液晶表示装置２５上から液晶表示装置２５と干渉しない退避位置へと移動されて、撮像手段３５が重なることによる映像品質の部分的な低下がなくなる。
そして、撮像手段３５の移動が直線的な往復動作によってなされることから、力の印加方向が一方向となって、良好な操作性が得られる。
【００２４】
したがって、この実施の形態による携帯端末１００によれば、液晶表示装置２５の表示面２５ａおよび撮像手段３５の撮像素子３９が重なり合うことにより、液晶表示装置２５の表示方向と撮像手段３５の撮像方向とが同一線４９に沿った同一方向５１を向くように、液晶表示装置２５と撮像手段３５とを相対的に移動可能としたので、ＴＶ電話としての使用時、撮像手段３５が移動されて液晶表示装置２５と重ねられ、使用者が液晶表示装置２５に映し出された映像を目視すると、送信側使用者の視線と受信側使用者の視線とが一致し、使用者の視線が不自然とならない。
この結果、カメラ装置一体の表示装置や、複数台のカメラ装置を用いずに、一つのカメラ装置で簡便に自然な視線のＴＶ電話通話環境を得ることができる。
【００２５】
次に、本発明に係る携帯端末の第２実施形態を説明する。
図４は腕部が回動自在な第２実施形態による携帯端末の外観斜視図である。なお、以下の各実施の形態において、図１〜図３に示した部材と同一の部材には同一の符号を付し重複する説明は省略するものとする。
【００２６】
第２実施形態による携帯端末２００は、撮像素子３９が腕部６１の先端に支持されている。この腕部６１は、基端が筺体２１に回動（順方向・逆方向に回転）自在に支持されている。
つまり、腕部６１の回動によって、撮像素子３９は、液晶表示装置２５に干渉しない退避位置から、図４に示す液晶表示装置２５に重なる撮像位置まで移動自在となっている。
【００２７】
腕部６１には上記と同様の透明電気配線４３（図２参照）が設けられ、透明電気配線４３は腕部６１の先端に設けられた撮像素子３９と回路基板の撮像回路とを接続している。
また、腕部６１の回転軸６３には角度検出センサ６５が設けられ、角度検出センサ６５は回路基板の撮像角度補正回路６７に接続されている。
【００２８】
撮像角度補正回路６７は、角度検出センサ６５から送られる回転軸６３の回転角度情報に基づき、撮像素子３９で撮影した撮像情報を回転補正可能としている。
つまり、この撮像角度補正回路６７により撮像情報が補正されることで、腕部６１の任意の回転角度においても、送信側使用者の画像が受信側の表示部に回転せずに表示されるようになっている。
【００２９】
したがって、この実施の形態による携帯端末２００によれば、ＴＶ電話としての使用時、腕部６１が順方向に回転されると、撮像素子３９が液晶表示装置２５上に重なり、使用者が液晶表示装置２５に映し出された映像を目視すると、液晶表示装置２５の表示方向と撮像素子３９の撮像方向とが同一線４９に沿った同一方向５１となる。
【００３０】
また、ＴＶ電話としての非使用時、撮像素子３９が逆方向に回転されると、撮像素子３９が液晶表示装置２５上から液晶表示装置２５と干渉しない退避位置へと移動されて、撮像素子３９が重なることによる映像品質の部分的な低下がなくなる。
さらに、撮像素子３９の移動が順方向の回転と逆方向の回転による回動動作によってなされることから、スライド溝を設ける必要がなくなり、筺体２１の防塵性等が高められる。
【００３１】
次に、本発明に係る携帯端末の第３実施形態を説明する。
図５は折りたたみ式筺体にハーフミラーを設けた第３実施形態による携帯端末の側面図、図６は図５に示した携帯端末のＴＶ電話使用時の説明図である。
第３実施形態による携帯端末３００は、筺体７１が上筐体７３と下筐体７５とからなり、これら上筐体７３および下筐体７５とが、双方に設けられたヒンジで構成されるヒンジ部７７によって二つ折りに折り畳み自在となっている。
【００３２】
上筐体７３の裏面（二つ折り時に重ね合わされる面）には液晶表示装置２５が設けられるとともに、受話部２７が設けられる。下筐体７５の裏面にはスイッチ操作を行う操作部２９が設けられるとともに送話部３１が設けられる。
この他、筺体７１には図示しないアンテナ、バイブレータ、各種回路部を備えた回路基板等が設けられている。
【００３３】
第３実施形態による携帯端末３００は、回路基板にミラー反転表示回路７９が設けられ、ミラー反転表示回路７９は通常の表示画像をミラー反転表示可能としている。したがって、液晶表示装置２５に表示されたミラー反転表示画像は、ミラーに映して見ることで通常の表示画像となる。
【００３４】
上筐体７３と下筐体７５との間には基端をヒンジ部７７に支持させたハーフミラー８１が設けられている。ハーフミラー８１は、ガラスあるいは透明樹脂等の透明基板に銀、アルミ等の金属反射膜を薄くコーティングして得ることができる。
ハーフミラー８１は、透過光強度と反射光強度が等しくなるように構成される。ハーフミラー８１は、図６に示すように、液晶表示装置２５の表示面２５ａに対して鏡面８１ａを所定の交差角度αで対面配置可能となっている。
【００３５】
また、第３実施形態において、撮像手段８３は、ヒンジ部７７に設けられ、ヒンジ部７７の中心軸と同軸の回転軸（図６の紙面垂直方向の軸）によって回転自在となっている。
つまり、撮像手段８３は、ハーフミラー８１を挟んで液晶表示装置２５の表示面２５ａと反対側に配設されている。
【００３６】
したがって、ハーフミラー８１は、液晶表示装置２５の表示面２５ａに表示された画像を鏡面８１ａに映しだす一方、ハーフミラー８１を挟んで撮像手段８３と反対側に配置される像（例えば図６に示す使用者の顔８５）の撮像を可能としている。
これにより、鏡面８１ａに映った液晶表示装置２５の表示方向と撮像手段８３の撮像方向とが同一線４９に沿った同一方向を向くようになっている。
【００３７】
したがって、第３実施形態による携帯端末３００によれば、ＴＶ電話としての使用時、鏡面８１ａを液晶表示装置２５の表示面２５ａに対して所定の交差角度αで対面させるようにハーフミラー８１が配置されると、液晶表示装置２５の映像が鏡面８１ａに映されて使用者に視認される。
【００３８】
この際、撮像手段８３がハーフミラー８１を挟んで液晶表示装置２５と反対側に配設されているので、使用者がハーフミラー８１の鏡面８１ａに映し出された映像を目視すると、液晶表示装置２５の表示方向と撮像手段８３の撮像方向とが同一線４９に沿った同一方向５１となる。つまり、使用者の視線がハーフミラー８１越しに撮像手段８３に捉えられることになる。
これにより、送信側使用者の視線と受信側使用者の視線とが一致し、使用者の視線が不自然とならない。
【００３９】
次に、本発明に係る携帯端末の第４実施形態を説明する。
図７はボタンカバーに撮像手段が設けられた第４実施形態による携帯端末の外観斜視図、図８は図７に示す携帯端末の撮像手段が表示部に重ねられた状態の外観斜視図、図９は撮像手段の設けられたボタンカバーの拡大斜視図、図１０は図９に示したボタンカバーの変形例を表す拡大斜視図である。
【００４０】
第４実施形態による携帯端末４００は、直方体の単一筺体２１の一つの表面２３の上部２３ａに、表示部である液晶表示装置２５が設けられるとともに、受話部２７が設けられる。また、同一表面２３の下部２３ｂにはスイッチ操作を行う操作部２９が設けられるとともに送話部３１が設けられる。
【００４１】
筺体２１に、液晶表示装置２５を視認する使用者を撮像可能な撮像手段９１を備える。撮像手段９１は、図９に示すように、透明なボタンカバー９３に撮像素子３９を設けてなる。
ボタンカバー９３は断面がコ字状となるように曲げられた例えば透明樹脂板からなり、その両側脚部９３ａ、９３ａが筺体２１のスライド溝９５、９５にスライド自在に支持される。スライド溝９５、９５は、液晶表示装置２５、操作部２９の側部に沿って上下方向に直線状に形成される。
【００４２】
ボタンカバー９３には撮像素子３９から脚部９３ａに亘って上記と同様の透明電気配線４３が設けられている。脚部９３ａの透明電気配線４３には余長を有する図示しないリード線の一端が接続され、このリード線の他端は回路基板の撮像回路へと接続される。
【００４３】
ボタンカバー９３は、携帯端末４００の不使用時、図７に示すように、操作部２９を覆う位置にスライド配置される。また、使用時には、図８に示すように、液晶表示装置２５に重なる位置へスライド配置される。
撮像手段９１は、液晶表示装置２５の表示面２５ａおよび撮像素子３９が重なり合うことにより、表示面２５ａの表示方向と撮像素子３９の撮像方向とが同一線４９に沿った同一方向５１を向くように、液晶表示装置２５に対して相対移動可能となっている。
【００４４】
なお、図７には操作部２９の全体を覆うボタンカバー９３を示したが、ボタンカバーは、図１０に示すように、操作部２９の一部分のボタンのみを覆う小型のボタンカバー９３Ａであってもよい。
このようなボタンカバー９３Ａの場合、中間位置にスライドすることで、操作部２９と液晶表示装置２５との双方に重ならない配置が可能となる。
【００４５】
この携帯端末４００では、ＴＶ電話としての使用時、撮像手段９１が直線的に往動されると、撮像手段９１が液晶表示装置２５上に重なり、使用者が液晶表示装置２５に映し出された映像を目視すると、液晶表示装置２５の表示方向と撮像手段９１の撮像方向とが同一線４９に沿った同一方向５１となる。
また、撮像手段９１の移動が直線的な往復動作によってなされることから、力の印加方向が一方向となって、良好な操作性が得られる。
【００４６】
したがって、第４実施形態による携帯端末４００によれば、ＴＶ電話としての使用時、撮像手段９１が移動されて液晶表示装置２５と重ねられ、使用者が液晶表示装置２５に映し出された映像を目視すると、送信側使用者の視線と受信側使用者の視線とが一致し、使用者の視線が不自然とならない。
この結果、カメラ装置一体の表示装置や、複数台のカメラ装置を用いずに、一つのカメラ装置で簡便に自然な視線のＴＶ電話通話環境を得ることができる。
【００４７】
次に、本発明に係る携帯端末の第５実施形態を説明する。
図１１はストレート型筺体にハーフミラーを設けた第５実施形態による携帯端末の外観斜視図、図１２は図１１に示したハーフミラーの下方スライド状態の動作説明図、図１３は図１１に示したハーフミラーが揺動された状態の動作説明図、図１４は図１３のハーフミラー揺動状態におけるＴＶ電話使用時の動作説明図である。
【００４８】
第５実施形態による携帯端末５００は、直方体の単一筺体２１の一つの表面２３の上部２３ａに、表示部である液晶表示装置２５が設けられるとともに、受話部２７が設けられる。
また、同一表面２３の下部２３ｂにはスイッチ操作を行う操作部２９が設けられるとともに送話部３１が設けられる。
【００４９】
筺体２１の下部２３ｂには撮像手段１０１が設けられ、撮像手段１０１は筺体２１の側面１０１ａに垂直な方向の軸１０３回りに回動自在に設けられている。
また、筺体２１の両側面１０１ａには上下方向に延在するスライド溝１０５、１０５が設けられ、スライド溝１０５、１０５はハーフミラー１０７の両側に設けられた回動軸９１とスライド自在に係合している。
【００５０】
また、第５実施形態による携帯端末５００の場合も、回路基板にミラー反転表示回路が設けられ、ミラー反転表示回路は通常の表示画像をミラー反転表示可能としている。
したがって、液晶表示装置２５に表示されたミラー反転表示画像は、ミラーに映して見ることで通常の表示画像となる。
【００５１】
このような構成を有する携帯端末５００では、携帯端末５００の不使用時、ハーフミラー１０７は、図１１に示すように、回動軸９１がスライド溝１０５の上部に配置された状態で、操作部２９を覆うようにして畳まれる。この場合、ハーフミラー１０７は、操作部２９のボタンカバーとして働く。
また、通常の通話時には、図１２に示すように、ハーフミラー１０７がスライド溝１０５、１０５に沿って下側へスライドされ、表出された操作部２９によって通話操作が可能となる。
【００５２】
一方、ＴＶ電話としての使用時には、図１１に示した状態からハーフミラー１０７が回動軸９１を中心に図１３に示すように起こされる。また、撮像手段１０１は、図１３の矢印１０９の方向に回転されて、ハーフミラー１０７へと向けられる。
携帯端末５００をＴＶ電話として使用するには、図１４に示すように、ハーフミラー１０７の鏡面１０７ａを液晶表示装置２５の表示面２５ａに所定の交差角度αで対面させた状態で、この鏡面１０７ａが目視される。
【００５３】
ハーフミラー１０７は、液晶表示装置２５の表示面２５ａに表示された画像を鏡面１０７ａに映しだす一方、ハーフミラー１０７を挟んで撮像手段１０１と反対側に配置される像（例えば図１４に示す使用者の目１１１）の撮像を可能としている。
これにより、鏡面１０７ａに映った液晶表示装置２５の表示方向と撮像手段１０１の撮像方向とが同一線４９に沿った同一方向５１を向くようになっている。
【００５４】
したがって、この実施の形態による携帯端末５００によれば、ＴＶ電話としての使用時、鏡面１０７ａを液晶表示装置２５の表示面２５ａに対して所定の交差角度αで対面させるようにハーフミラー１０７が配置されると、表示面２５ａの映像が鏡面１０７ａに映されて使用者に視認される。
この際、撮像手段１０１がハーフミラー１０７を挟んで表示面２５ａと反対側に配設されているので、使用者がハーフミラー１０７の鏡面１０７ａに映し出された映像を目視すると、液晶表示装置２５の表示方向と撮像手段１０１の撮像方向とが同一線４９に沿った同一方向５１となる。
【００５５】
つまり、使用者の視線がハーフミラー１０７越しに撮像手段１０１に捉えられることになる。これにより、送信側使用者の視線と受信側使用者の視線とが一致し、使用者の視線が不自然とならない。
この結果、カメラ装置一体の表示装置や、複数台のカメラ装置を用いずに、一つのカメラ装置で簡便に自然な視線のＴＶ電話通話環境を得ることができる。
【図面の簡単な説明】
【００５６】
【図１】本発明に係る携帯端末の腕部が往復動可能となった第１実施形態を表す外観斜視図である。
【図２】図１に示した腕部の拡大斜視図である。
【図３】撮像手段が表示部と重ねられた携帯端末の外観斜視図である。
【図４】腕部が回動自在な第２実施形態による携帯端末の外観斜視図である。
【図５】折りたたみ式筺体にハーフミラーを設けた第３実施形態による携帯端末の側面図である。
【図６】図５に示した携帯端末のＴＶ電話使用時の説明図である。
【図７】ボタンカバーに撮像手段が設けられた第４実施形態による携帯端末の外観斜視図である。
【図８】図７に示す携帯端末の撮像手段が表示部に重ねられた状態の外観斜視図である。
【図９】撮像手段の設けられたボタンカバーの拡大斜視図である。
【図１０】図９に示したボタンカバーの変形例を表す拡大斜視図である。
【図１１】図１１はストレート型筺体にハーフミラーを設けた第５実施形態による携帯端末の外観斜視図である。
【図１２】図１１に示したハーフミラーの下方スライド状態の動作説明図である。
【図１３】図１１に示したハーフミラーが揺動された状態の動作説明図である。
【図１４】図１３のハーフミラー揺動状態におけるＴＶ電話使用時の動作説明図である。
【符号の説明】
【００５７】
２１、７１  筺体
２５  液晶表示装置（表示部）
２５ａ  表示面
３５、８３、９１、１０１  撮像手段
３７、６１  腕部
３９  撮像素子
４９  同一線
５１  同一方向
８１、１０７  ハーフミラー
８１ａ、１０７ａ  鏡面
１００、２００、３００、４００、５００  携帯端末
α  交差角度
【図１】
2006203768.tif 000003
【図２】
2006203768.tif 000004
【図３】
2006203768.tif 000005
【図４】
2006203768.tif 000006
【図５】
2006203768.tif 000007
【図６】
2006203768.tif 000008
【図７】
2006203768.tif 000009
【図８】
2006203768.tif 000010
【図９】
2006203768.tif 000011
【図１０】
2006203768.tif 000012
【図１１】
2006203768.tif 000013
【図１２】
2006203768.tif 000014
【図１３】
2006203768.tif 000015
【図１４】
2006203768.tif 000016